(57)【要約】従来、世界において、様々と、非合理的な案件が存在していました。これを、世界維新として、整理、整頓するということです。【特許請求の範囲】
【請求項１】
（１）言論執筆維新に関して言えば、学校の教科書をはじめとした、全ての書籍の、出版のための、コンピュータにおけるフォーマットに、自動的に「本稿をはじめとした全ての著述の内容は、著述者もしくは複数の著述者における、著述時点までの段階での経験で、そのようだと思ったり、感じたり、考えたりしたことであり、全ての方々において、その境地によっては、当てはまらないことがあり得ることを、ご理解賜りますようお願い致します」と入力される段階を有し、その上で、それはなぜこの文言が表記されているのか、コンピュータ上で、理由を、５肢択一で選んで、回答する段階を有することです。
【請求項２】
（２）永遠生命維新に関して言えば、学校の理科の教科書においては、出版のための、コンピュータにおけるフォーマットに、自動的に、「アンチエイジングに関する最新の技術」について、入力される段階を有するようにすることです。社会科の教科書においては、出版のための、コンピュータにおけるフォーマットに、自動的に、「ライト兄弟が、人類も、空を飛べると思ったから、空を飛べる飛行機を作れたように、人類の生命についても、永遠になる、そうなるように努力していれば、それが、実現する時代が、来る可能性がある」ということについて、入力される段階を有するようにすることです。
【請求項３】
（４）銀行事業維新に関して言えば、たとえば、銀行の通帳に、年平均、１００万円入っていれば、たとえば、その０．１％である１千円を、銀行の預金預り手数料として、すなわち、銀行の収益として、天引きする段階を有します。
【請求項４】
（６）燃料調達維新に関して言えば、太陽光を巨大な虫メガネで、光を一点に集中させ、また、さらに複数の巨大な虫メガネを同じ、その一点に集中させ、熱エネルギーを強力に発生させる段階を有し、ＡＩを使用して、これら複数の虫メガネの傾きを調整する段階を有し、かつ、この熱エネルギーを、各種エネルギーに変換する段階を有します。
【発明の詳細な説明】
【発明の詳細な説明】
【技術分野】
【０００１】本発明は、「世界維新の会」代表の木野が記したものであり、世界維新の名のもとに、（１）言動執筆維新、（２）永遠生命維新、（３）恋愛結婚維新、（４）銀行事業維新、（５）経営目的維新、（６）燃料調達維新、（７）階級制度維新、（８）保険改革維新、（９）介護制度維新、（１０）学校時間維新、（１１）物流調節維新、（１２）順法養成維新、以上の１２の分野に関するものです。「維新」とは、大辞林第三版によりますと、「すべてのことが改められて、すっかり新しくなること」と記されています。
【背景技術】
【０００２】（１）言論執筆維新に関して言えば、従来、何かたとえば、医療情報を表現したりする時に、断定表現をされる方々がおられました。哲学についてもそうでした。断定表現が許されるのは、既に、自分の過去、現在、未来に渡り、時々断定的な表現をしますが、それは、自分の過去の経験から、そのように思い、そのように、現時点で、感じていますと、たとえば、Ｆａｃｅｂｏｏｋでの投稿において、明確に宣言している場合は、大丈夫です。私は、既に、Ｆａｃｅｂｏｏｋでの投稿において、自分の魂の誕生にまで遡り（さかのぼり）、過去、現在、未来永劫に渡り、私の表現することは、全て、たとえ、断定表現をしていても、自分の過去における経験を踏まえて、そのように思っています、そのように考えています、そのように感じていますという言葉が、省略されていることを、この文面においても、表明する次第です。別件ですが、前回の特許出願の内容に、連鎖販売取引の勧めについて記しましたが、これは、広がれば広がるほど、周りが皆、販売競争の相手になって行ってしまうので、間違いであることに気づきました。ここにおいて、撤回します。
【発明の概要】
【発明が解決しようとする課題】
【０００３】断定表現をすることにより、その表現をした方の、社会への影響力が大きければ、大きいほど、そのことを見聞（けんもん）する方々の中に、そのとおりしてしまう方々も多数にのぼる可能性もあり、その内容は、実は、一部の方々にとっては、さらには、その時期においては、有効でも、時間と場所等の様々な状況が、違えば、結果が違ってしまうことがあり得るという課題がありました。ここで、私自身の経験を課題として、表明いたします。最近、「糖質オフ」「糖質制限」ということの紹介が、なされています。生活習慣病をはじめとした各種の病や症状に効果があるとのことです。（公序良俗違反につき、不掲載）は、同病院をはじめとした各所で、２０１７年までで、４０００名を超える症例を通じて、画期的効果が出ていると、著書等により、紹介しておられます。糖質制限は、大きく分けて、基本的に魚肉卵しか食べない、他は全て制限をする、断糖食という究極の糖質制限、その他に、肉魚卵の他に、野菜も食べる、制限するのは、ごはんなどの炭水化物だけとするという２種類があります。前者は、（公序良俗違反につき、不掲載）という著書を出しておられます。私は、２０１７年に、この本を読んで、年末に断糖食を開始し、約１か月で、症状が解消しました。しかし、５か月後、大きめのおまんじゅうを食べたところ、翌日に、便が大変固くなり、便意が大変あるのに、排出できない状態になってしまい、救急車で、近くの病院に運ばれました。回復までに１か月以上を要しました。大変な苦しみでした。（公序良俗違反につき、不掲載）氏の説では、断糖食は、ずっと生涯続けて行くもので、途中で、糖があるものを食べても、食べたくないという気持ちが起こるという程度の記述が、たしか、してあっただけなので大丈夫だと思っていたところ、私の場合は、このような大変な苦しみに襲われました。数日間に渡り、大変苦しみ続けました。その後、一旦、普通の食事に、ごはんは、半ぜんで、徐々に、元に戻して行きました。ところが、ウエストが８５センチを超えそうになり、体重も、断糖食時代は、４７キロまで行っていたのが、６０キロを超えるようになり、今度は、一般的な糖質制限食を開始しました。これは、前記の（公序良俗違反につき、不掲載）の説に基づいて行いました。３日に一度、一日に快適な排便を２回〜３回するということが、３週間ほど続きました。その後、糖が入った珈琲を飲んだことがあった記憶が少しあります。４週間目に、再び、便が大変固くなり、肛門から排出できず、一宮市内の消化器内科の医院で、処置をして頂きました。この時も、大変な苦しみが続きました。さて、また、言論執筆において、対象となる相手を、批判するということが、普通に行われ、そこで、その批判を受けた相手に、心理的損害を与えるということが、横行していました。
【課題を解決するための手段】
【０００４】以上の課題を解決するための制度とシステムをここに提起いたします。まず、たとえば、各書籍の最初にページに、「本稿に記載されている内容は、本稿における私（あるいは執筆者一同）での経験で、そのようだと思ったり、感じたり、考えたりしたことであり、全ての方々の境地によっては、当てはまらないことがあり得ることを、ご理解賜りますようお願い致します」と全ての書籍の最初と最後に、挿入します。そもそも、学校の教科書においても、全ての教科書の最初に、記されているようにしておけば、その影響力は大きいと推定されます。さらに、ここで、正式にお伝えすれば、歴史上のそして、これから未来も、本当の神でない限り、全ての方々が、おっしゃっていることは、その方々が、その時点までの過去から現在までの経験により、表現されることであり、そのことが、万人に、さらに、その時点において、当てはまるとは、限らない場合があるということについて、それこそ、私は思っています。そして、感じています。以上のように、ここで、私が記しましたので、自分の断定表現により、誤った方向に導いてしまっておられた過去の方々、現在、そして、未来の方々が、この私の表現によって、救われることになると思います。この御方が、こう言っておられるから、まずは、試しに、こうしてみる、結果として、違っていたら、やめておく、それで良いと私は、思います。さて、前記の糖質制限について、私の案件から言える教訓は、症状を解消するためには、確かに糖質制限は、効果が、私の場合ありましたが、糖が体内にない状態で、いきなり糖を体内に入れると、排便困難になりました。それを、糖質制限についての全ての記述が、全ての人に、共通して言えることとして、表現しておられては、いけないことが、私に起きた事実から、お分かりかと存じます。よって、上記のように記した次第です。さて、人と話をする時、相手の欠点をあげつらって、そのままストレートに言うと相手が不快になってしまうだろうということかわかっていながら批判をする人がいます。例えば結婚情報事業で、特許を取得した私に対して、結婚もしたことがない人間が、結婚情報事業について語る資格はないと、おっしゃる方がおられました。相手を批判することにより、ご自分は相対的に、相手との人間関係において上位に立ってしまいますから、優越感を抱いてしまうことにより、それが話をする快感となってしまう方がおられます。私は今後そういう方がおられた場合、その構造を説明し、普通はそういうことをすると、反作用として、相手の人は心のシャッターを閉めてしまい、そういうことをする人に近づかなくなってしまい、また相手を苦しめることになるので、その分悪業を積み、結局その分いずれ自分が悪業の分だけ苦しむことになると考えることもできますねとお伝えすることで、相手の方をお救いするようにします。相手の方を快適な状態におきながら、私ならこのような場合ならこうします、という形でその方にお伝えすることができます。私ならまさにそうしています。世の中には、相手が常に快適になるようにと願いながら、お話をしたり対応したりする方がおられる一方で、このように言ってしまうと相手に不快に思われるだろうなとわかっていて、あるいは相手は不快になるだろうということに気づかずに、お話をしたり対応したりする方がおられます。私は前者です。なぜなら相手を不快にさせてしまうと、それは反作用で悪業を積み、相手の方を苦しめた分だけ、その分、いずれは自分の身に降りかかる、そのような物理学的な作用反作用の法則があると私は気づいているからです。さて、私は結婚歴はありませんが結婚情報事業で特許を取得しました。結婚歴がないのに結婚の事について言う資格がないとおっしゃる方もみえますが、例えば生活習慣病になった経験がない医者の御方が生活習慣病を治療し完治させる場合があることを鑑みた場合、同じようにして結婚歴がない者にも、特許取得を通じて、結婚情報事業を治療し完治させることができる場合があることが論理的に明快に分かります。世界７０億人の大多数の方が結婚されています  それでも従来、離婚率を抑制するメカニズムがない状態が有史以来、ずっと続いて参りましたこれまでに結婚歴がない私だったからこそ見えている風景があります。その見えている風景をもとに私は結婚情報事業について特許を取得することができたと思っています。相手と対応する時には、相手を快適にしようと努力することを、法制度化しておくべきだと思います。相手を快適にしながら、伝えるべきことは伝えるというように、法制度化しておくべきだと思います。非生産的なことを回避し、よけいなストレスやわだかまりを、未然に防止するためです。さて、もう少しお伝えすることがあります。世の中で、いろいろな大変な事柄、大事件が起こったりしますが、実は、それは、関係者ご本人が、ほんのわずかに、ピントがずれてしまったに過ぎないと捉えることだと思います。ということは、常に、ピントがずれないように、ピント調整を続けて行く必要があると思います。ほんのわずかなピントのずれも、ほおっておけば、大きなずれになってしまうということに、気づく必要があると思っています。しかし、そのピントが外れる背景、バックボーンには、その人の考え方があります。おかしなことが身の回りに、起きて来る時、自分自身の考え方を変化させて、結果として、ピントを世の中の仕組みに合わせて行く必要があると思っています。考え方が、それで正しいのか、常に、考え方という、その基本を判定し続ける必要があると思っています。
【背景技術】（２）永遠生命維新に関して言えば、従来、人間の生命が永遠にしようとして、これまで努力して来た方々がおられて、従来においては、目的に達していない、そのことから、永遠であるはずかないと思われておられる方々が、数多いですが、ごく最近になって、医学的なアンチエイジング技術の研究が活発になっていることは、ご承知のとおりです。
【発明の概要】
【発明が解決しようとする課題】
【０００５】わずか３００年前、人が空を飛ぶことができるとは、数多くの方々が、できないと思っていました。ところが、そこに、人は、空を飛べるようになると考える方々がいて、おおむね、ライト兄弟の飛行機の発明から始まり、人は、空を飛べるようになりました。このように、せっかく、人類として、そのようなことはできないと思っていたことが、できるようになることが、あるということを、世界の歴史に鑑みて、あるのですから、そこに向かって、目標をもって、努力すれば、できる時代は来ると、私は、思っています。私は、国立三重大学世界史卒業の文系という逆境から、理系科目を独学し、出願から、特許取得まで、途中、コピーを取ることを、家族の人に手伝ってもらいましたが、それ以外、全て、自分一人で行い、特許を取得しました。同じように、文系に行ってしまったから、もう医学のことはできないということは、ありません。別の分野ですが、いつからでもできるということを、私は、特許取得において、証明しています。もう既に、独学を経験しましたので、次は、医者の方々と共同で、究極的なアンチエイジング、すなわち、永遠の生命の実現を、それを希望する方々限定で、達成しようと思っています。（公序良俗違反につき、不掲載）
【課題を解決するための手段】
【０００６】以上の課題を解決するための制度とシステムをここに提起いたします。まず、常識というものに、とらわれないということです。新しい発見、発明は、常識を超えたところに、常にある場合が多いと、考えられます。論理的には、そう言えるかと思います。世界全人類で、一番、最優先するべきことは、結婚情報事業において、離婚率が抑制されること、そして、究極的なアンチエイジング、永遠の生命を実現することだと、私は、思っています。世の中には、どうせ、いつか亡くなる時か来るからと、目先のことにとらわれ、今の目の前のことさえ、良ければよいと、誠実に生きることができない方々が、おられます。社会秩序も、こうした方々により、おざなり、すなわち、いいかげんに物事をすませること、その場だけの間に合わせにしてしまう方々により、ゆがめられていることがあることが、推察されます。現代におけるゴミのリサイクル問題もそうです。よって、英知を結集するため、義務教育の時期から、既に、結婚情報事業における離婚率を抑制する仕組み、永遠の生命の実現についての、究極的なアンチエイジングの現時点での到達している技術、ゴミのリサイクル問題の現時点での技術を学べるようにするのです。
【背景技術】（３）恋愛結婚維新に関して言えば、このあたりのことは、既に、木野が以前に取得済みの日本国特許第４５３８７０８号に記されています。現状の日本の離婚の状況を観てみますと、厚生労働省の資料では、人口１０００人当たり２０１４年で１．７７人です。離婚率を抑制する技術は、私が、確立し、特許化に成功しましたが、具現化に至っていません。現状では、出会いの最初に、外見が来てしまい、外見に魅かれて（ひかれて）、その外見が、結婚への主たる動機となってしまっておられる方々もいることが、想定されます。婚活のパーティー、イベント、サークルも、相手の最初の情報で、外見が来てしまっています。
【発明の概要】
【発明が解決しようとする課題】
【０００７】簡単に申し上げると、従来においては、一般的な恋愛も、そして、結婚情報サービス企業による相手紹介のシステムも、人の世界観、価値観について、質問し、その答えにより、世界観、価値観を、区分し、類型化し、同一類型にある異性の中から、相手を選択するという仕組みがありません。このため、結婚してから、世界観、価値観において、お互いに、許容を超える「違い」があった場合に、離婚に至る危険性がありました。厚生労働省の人口動態統計の人口動態総覧によると、平成２９年の婚姻件数の推計は６０万６８６６組、離婚件数は２１万２２６２組となっており、平成２４年の婚姻件数は、６６万８８６９組、離婚件数は、２３万５４０６組となっています。約３組に１組の割合で離婚している計算になります。本稿をご覧の全ての皆様に、出来れば、直接、ご自身で、「厚生労働省  平成２９年人口動態総覧」と検索して頂き、統計表の第１表の人口動態総覧、婚姻、離婚の数値を、御自分の眼で、しっかりとご確認頂く必要があると思います。ここで、緊急で対処すべき事態にあるという緊急感を共有して頂く必要があります。私には、この数値を看過できません。木野の技術は、離婚率を抑制する仕組みです。「離婚率を抑制する」ということは、相対的に、家族内での余分な緊張やエネルギーを消耗する危険性を解消し、その分、家庭が安心の場となりますから、「少子化を解消」し、その分、家庭のことは心置きなく、外の社会、外の世界で、活躍することができる度合いが高まりますから、「県民所得が向上」すると考えております。さて、私の父の知人で、東京大学を卒業し、富士通に就職したあと、愛知県庁へ入庁した方、私の学生時代の友人で、同じく富士通グループで、システム開発をしていた人が、岐阜県庁へ入庁しました。こうしたことから、県庁には、システム開発ができる人材がおられるということを知っております。当該結婚情報事業は、上記のように、公益としても、切迫した事情に鑑み、一方で優先的に、県で、システム開発して頂き、県が作成したシステムで、またその一方で会員募集や仲介として、従来の結婚相談所の方々に協力して頂くという方法を希望します。従来、数多くの結婚情報サイトでは、異性の情報の＜「最初に」＞顔写真が見られるようになっています。たとえば、世界観、価値観が違っているのに、その外見にとらわれてしまい、結婚してしまう場合があります。（公序良俗違反につき、不掲載）さて、婚活パーティー、婚活イベント、婚活サークルも、外見に最後まで引きずられてしまうことがありますから、停止する必要があると考えております。さて、こうしたことを防ぐために、２つの大きな仕組みがあります。まず、１つ目の仕組みは、世界観、価値観について、質問を利用者が、会員登録画面の中で、受けるようにします。たとえば、（１）配慮：家族と会話をする時、あなたは、少なくとも、自分だけでも、相手にとって、常に、快適になってもらえるように、快適になってもらえるようにと願いながら、計らいながら、工夫して会話をするようにしていますか？相手の言動を否定すると、相対的に、自分が上位に立ちますので、自動的に優越感に浸ることができます。こうした傾向がある方は、ＮＯを選んで頂きます。ＹＥ���・ＮＯの２通り。（２）尊重：家族に対して、相手がどうであれ、その方たちの、思想や良心の自由の尊重を心掛けていますか？ＹＥＳ・ＮＯの２通り。（３）秩序：家の中の家族との共有スペースにおいて、物を使ったら、その場で元に戻すようにしていますか？ＹＥＳ・ＮＯの２通り。（４）習慣：毎日の生活習慣において、規則正しい生活をするようにしていますか？ＹＥＳ・ＮＯの２通り。（５）準備：大切なことは、先に準備を完了しておいてから、残った時間で、その他のことをするようにしていますか？ＹＥＳ・ＮＯの２通り。（６）家事：料理、家事、清掃を一通りこなすことができますか？ＹＥＳ・ＮＯの２通り。（７）煙草は吸わないですか？吸わないならＹＥＳ、吸うのなら、ＮＯ。ＹＥＳ・ＮＯの２通り。（８）動物を飼うことを希望していないですか？希望していなければ、ＹＥＳ、希望していればＮＯ。ＹＥＳ・ＮＯの２通り。（９）子どもを作りたいと思っていますか？作りたいと思っていれば、ＹＥＳ、作りたいと思っていなければＮＯ。ＹＥＳ・ＮＯの２通り。（１０）結婚歴はないですか？結婚歴が無ければ、ＹＥＳ、あれば、ＮＯ。ＹＥＳ・ＮＯの２通り。（１１）結婚前に、性行為をしたことがありませんか？性行為無ければＹＥＳ、あればＮＯ。ＹＥＳ・ＮＯの２通り。（１２）次のうち、どれにあたりますか？１、数学が入試で課された大学の学科に合格の経験がある。２、数学が入試で課されない大学の学科に限定して合格の経験がある。３、専門学校卒業、短期大学卒業。４、高校卒業。５、中学校卒業。以上の５通り。（１３）世界観、価値観とは関係ありませんが、県民性もありますし、交際は、近い方が、しやすいので、在住の４７都道府県を選択。４７通り。ここで、なぜ、学歴で５通りとするのかについて、記します。たとえば、極端な場合、女性が中学校卒業で、男性が東京大学医学部合格者の場合、家庭内で、当該女性の側が、相手の男性に対して、緊張してしまう危険性が考えられ得るからです。それから、大学で数学の合格についてですが、大学受験で、最初から数学を使わない選択をしているということは、数学を回避する傾向があると推定されます。数学を得意としていた、あるいは、数学から逃げなかった場合と比べて、相対的に、論理を追って行く力に違いが生じますので、意向の伝わりやすさの面で、違いが生じやすく、これも緊張してしまう危険性が考えられ得るからです。日本国特許第４５３８７０８号を具現化する時、登録画面の質問は、上記のように改訂します。スマートフォンでもパソコンでも対応できるようにします。それから、世界観、価値観に関する文章は、２０００字以内と改定します。そして、自己紹介としての世界観、価値観に関する文章は、１つだけへと改定します。社会貢献協力活動は、１回だけへと改定します。すなわち、資料確認面談と社会貢献協力活動を、約１時間３０分で、一通り、仲介者を交えて行うということです。資料確認面談では、たとえば、（１）配慮：家族と会話をする時、あなたは、少なくとも、自分だけでも、相手にとって、常に、快適になってもらえるように、快適になってもらえるようにと願いながら、計らいながら、工夫して会話をするようにしていますか？となっていますので、この���容を、両者に目の前にして頂き、このことに関するエピソードを、各々、話して頂くようにして、確認します。資料確認面談の時に、登録時に答えた回答について、予め、その回答の根拠となるエピソードを準備して来て頂き、当日、その場で、話して頂くことになっていることを、本プラットフォームの画面で、事前に、お知らせしておく必要があります。社会貢献協力活動のテーマは、「悲惨な離婚を防ぎ、結婚継続率を上昇に転ずるためには、どうすればよいか？」とします。話し合って、出た結論を、当事者間で、共有することとします。アカデミックにしてあります。アカデミック学問の分野で正統的で堅実なさま。学究的。出典：デジタル大辞泉２つ目の仕組みは、利用者は、会員登録時に、自分の世界観、価値観を文章にし、題名もつけて頂き、登録するようになっているということです。なお、この場合、仲介業者が、文章と題名を、代行して作成できないように、システムを構築しておきます。仲介業者の方々には、このプラットフォームがある理由を、よくわきまえて頂ければ、代行はなさらないと思っています。私は、以前、結婚相談所に登録していた時に、その結婚相談所の方が、私と少し話した印象を基に、全文を、私に代行して、掲載してしまいました。これはいけないと思って、私は、自分で、作成して、表示してもらうようにした経験があります。その上で、同じ類型の異性の一覧が、題名で出ているようにします。この題名から、興味がある題名をクリックすると、その異性の世界観、価値観についての文章が読めるようになっています。大学受験のセンター試験のように、５選択肢択一で、内容把握問題もしくは要旨把握問題に、正解した場合だけ、相手の異性の顔写真が表示される仕組みです。なお、利用者は、文章と題名を修正することができます。その場合、もう一度、文章の内容把握問題を、発明者または結婚相談業者が作成する必要がありますので、所定の料金が必要です。５０００円を想定しています。質問登録についても、修正することができます。登録画面に再度、入って、入力することができるようにしておきます。夫婦において、世界観、価値観が違っていても、これを人格形成に役立てるという観点もありますが、夫婦でいること自体に、余分な緊張やエネルギーを消耗してしまい、その分、社会への貢献の度合いが、薄らいでしまいがちです。できることなら、家庭内は、安心で、外へ行って活躍して来るというのが、理想だと思っています。よって、木野は、この技術を特許化しました。１０年で特許が終了しても、著作権は残っています。著作権保護が万全となるように、事細かに、計らってあります。同じ類型の人どうしの中から、相手を探せるようにした方が、世界観、価値観が似ているので、違いがあるよりも、離婚に至りにくいと、一般的には、考えられ得るということです。さらに、外見にとらわれてしまうことを防ぐために、顔写真は、世界観、価値観が記された文章を読んで、５肢択一の要旨あるいは内容把握の問題に答えて頂き、正解であった場合だけ、表示されるようにします。誤答であった場合、１分間、新しい解答の入力ができません。特許内容では、５分間としていましたが、ここは、１分間に訂正します。母数が今後、多くなって来���ば、国としての離婚率が低下し始め、効果が証明されることとなります。ちなみに、（公序良俗違反につき、不掲載）氏から、２０年ほど前に、お聞きした説によると、性行為は、女性側に、その行為自体が、刻印されてしまうため、その後、その女性が違う男性と、性行為をすると、その男性は、体感的に違和感を感じてしまうため、結婚前においては、性行為をすべきではないとのことでした。私も、確かにそのとおりだろうと思ったので、上記の例で、あえて、提示した次第です。貞操観念においても、類型が同じ者同士が、結婚することが、重要であることが、こうしたことにおいても、言えます。なお、結婚相手候補者と試しに、共同生活をしてもよいと思いますが、性行為は、一切しないことが条件です。上記に記した（公序良俗違反につき、不掲載）氏の説を踏まえると、そうなります。私も、同じように思います。ちなみに、私は、まだ結婚しておりません。本人が結婚もしていないのに、結婚情報事業について、語る資格はないと言う方が、時々おられます。しかしながら、生活習慣病になったことがない医師が、生活習慣病を治療にあたっておられます。私は、結婚情報事業で、特許を持っております。結婚情報事業について、治療にあたることができます。このように申し上げて、たいていご理解を頂いております。世界で７０億人近くの人口の中で、数多くの方々は、既に結婚しておられますが、離婚を防ぐ仕組みに、気づいておられませんでした。具体的に私の経験として以下のようなものがあります。５０名以上の女性とお見合いをしたことがあります。友達になったりしたこともあります。また、家族と一緒に住んでいますので、家族の中で、世界観、価値観の違いがあると、そこで、ストレスが発生しやすいことは、実感しています。離婚率を抑制するということは、家庭内での余分な緊張やストレスを未然に解消するということです。家庭内での緊張やストレスが少なければ、家庭が安心の場となりますので、少子化を防止できます。また、家庭のことが安心できていれば、社会に出て、より一層活躍できますので、県民所得の拡大につながります。自分の世界観、価値感に関する文章は、自己紹介として、登録して頂くようにします。題名を登録時につけて頂きます。たとえば、木野の世界観、価値観が表れている自己紹介の文章を記します。上記の１２の質問項目に、どれか関連することを、深く記すようにすると、記しやすいことを登録画面に表示しておきます。世界観  出典：デジタル大辞泉  小学館世界およびその中で生きている人間に対して、人間のありかたという点からみた統一的な解釈、意義づけ。知的なものにとどまらず、情意的な評価が加わり、人生観よりも含むものが大きい。（１）配慮：家族と会話をする時、あなたは、少なくとも、自分だけでも、相手にとって、常に、快適になってもらえるように、快適になってもらえるようにと願いながら、計らいながら、工夫して会話をするようにしていますか？に基づきますと、以下に、私の事例を出します。題名：会話において相手を快適にする配慮文章：私は、以前、結婚相談事業をやろうと思っていますと、ある方に、お伝えしたところ、結婚もしていないのに、そうしたことをする資格はないでしょうと言われました。生活習慣病になったことがない医者が、生活習慣病を治すように、私も、結婚をしたことはないですが、結婚情報事業で特許を持っていますし、治せますよと、お答えしました。このように自分がされた経験を基に、その時を契機に、相手に、これを言うと、不快にさせてしまうなと思う時は、相手を不快にさせない、常に相手に、私からの働きかけで、快適になってもらうように、会話をしようと決めました。相手を否定する発言をしても、普通は相手の心のシャッターが閉まってしまうからです。次第に気まずくなって行くと思います。さらに、否定する発言により、相対的に、自分が上位に上がってしまうので、優越感を抱いてしまいます。そこには、一般的には、実質的に生産性が無いと思います。単なる自己満足に終わってしまいます。進歩向上がないと思います。会話で相手が快適になるように計らうということは、人間関係を積み重ねて行く上で、基本になると思いました。それで、今では、家族、親戚、友人、知人、全てに対して、常に、意識するようにしています。特に、家族に対しては、家族は自分と世界観、価値観が違う場合が多いので、自分にとって、嫌なことを言われる場合もありますが、言ったその人が、それを言うことで、優越感を抱き、幸せになれるのならよいと思うようにしています。また、家族は、嫌なことを言っても、比較的、許されてしまいますから、そこを、意識して、快適に計らうようにしていると、それが心の力となり、外での人間関係の良き訓練にもなると思うからです。優越感を抱くに至る仕組みを伝えようとしても、聴く耳を持たない人がいても、相手にとって、知っておかれた方がよいですから、仕組みについて、お伝えはしておくようにしています。２０００字までＯＫとします。その他の情報として、身長、体重、生まれた年月、最終学歴の学校名、学科名、職業、年収を入力して頂きます。職業、年収は変化する場合がありますから、変化した場合は、これも登録画面から変更できるようにしておきます。自己紹介としての世界観、価値観の文章を、一例として、私の上記の文章を、登録画面に提示しておきます。さて、以上より、２の１１乗×５×４７＝４８１２８０通りとなります。基本的には、同じ類型同士の異性の情報しか、見ることができないようになっています。一都道府県あたり１０２４０通りの類型になりますので、１〜１０２４０の類型番号をつけておくようにします。各個人の番号は、類型番号の後に、−をつけるとよいと思います。たとえば、ＪＰ愛知１０２４０−２０１９００１のようにします。ＪＰは、Ｊａｐａｎを示し、日本在住を示します。愛知は、愛知県在住を示します。２０１９は、西暦の入会年とます。上記の質問全てＹＥＳの場合、１０２４０とします。質問１だけがＮＯの場合、１０２３９とします。質問２だけがＮＯの場合、１０２３８とします。以上のような規則性を持たせます。愛知県の人口動態総覧を見ますと、平成２８年の婚姻件数４０６７１組、離婚件数１２４６４組、平成２９年の婚姻件数４００７２組、離婚件数１２４７１組となっています。婚姻件数から言えば、もし全ての婚姻を、本プラットフォームを経由して頂くとすると、同類型は、ほぼ４名ということになります。場合の数で、考えてみると��同じ県に４名しか同類型の異性がいないわけですから、パーティー等に行っても、同じ類型に出会うことができる可能性は、極めて小さいと言えると思います。周知が行き届くまでは、別類型も検索できるようになっています。その場合、どの回答が、別であるのか、分かるようになっています。考え方が似た人どうしですと、もし、何か嫌なことを相手からされても、自分でも同じようなことをしてしまいがちなので、相手を理解しやすいというメリットが考えられます。さて、どちら側からか、面談を申し込みたいとなった場合には、面談申込ボタンを、押せるようになっています。その時に、面談日程の希望日を第３希望まで、入力できるようにしておきます。そうすると、面談申込を受けた会員は、その申込のあった会員の情報を確認し、面談について合意をすれば、発明者または結婚相談業者へ希望の日程を知らせ、発明者または業者は、自分の日程も調整し、当該男女両者へ日程の連絡をします。なお、最初の面談時に、お互いの類型の内容の確認という資料確認面談、および両者同じテーマについて、話し合って頂くという社会貢献活動の両方をします。この内容も、一回で行うという点で、特許内容を訂正します。資料確認面談、社会貢献協力活動は、発明者または結婚相談所の方も、同席します。最後に、その後、プライベートにおいても、交際を続けて行くか、確認し、両者同意したら、発明者または結婚相談所の仲介をその場で、終了します。その後、その交際が実を結ばなかったら、再度、会員として、復活する手続きを取って頂くことができます。社会貢献協力活動として、テーマは、「少子化を防ぐためには、どうしたらよいか」について、話し合い、案を作成します。社会貢献協力活動として、大切なことは、他者を批判しないことです。他者を批判すると、非常に安易に、自己が相対的に地位が上がり、優越感に浸ってしまい、結果、生産性が全く無くなってしまうからです。何か病や、気分が不安定で、意気消沈になっておられ、上記の手法が必要な方は、上記の道が、救われる道として、唯一であるのなら、その時、初めて許されるものだと思います。この時、討論、議論になってはいけません。会話、対話することです。ゴルバチョフ元ソ連大統領の言葉として、声の大きい人有利ではなく、声の大きさは関係ない、違いがあれば攻めるのではなく、なぜ違うか？を探求する、自分の想像の枠を超えないのではなく、想像を超え、新しい世界を知る、考え方が変わらないのではなく、考え方が変わる、気まずい雰囲気になるのではなく、だんだん楽しくなるというものがあるそうです。上記のうち、前者がすべて、討論、議論であるのに対して、後者はすべて、会話、対話とされています。両者の間に、結婚相談業者の仲介が停止すれば、その後の両者は、プライベートの関係になります。最初の停止にあたり、発明料およびシステム開発、運営料を納めて頂くようにします。こうすることにより、お見合い結婚ではなく、恋愛結婚となります。お見合い結婚とは、成婚に至るまで、当該男女の交際関係は、業者が仲介している社会的な場合です。恋愛は、できないことになります。交際自体が仲介者がいる社会的なものにもかかわらず、恋愛的な行為をしていると、お互いに、公私混同の��格が形成されかねないということに気づいています。（公序良俗違反につき、不掲載）なお、同時並行で、何人かの人と交際ということは無しとします。当該結婚情報事業では、資料確認面談、社会貢献協力活動までは、結婚相談所が仲介しますが、その後は、仲介を終了しますので、本結婚情報のプラットフォームから後の交際は、プライベートとなりますので、恋愛結婚であると言えます。高誤答率案件処理の機能は、必要です。特許内容に記されています。資料確認面談用として、発明者または仲介業者が当日に使うものとして、スマートフォンでもよいので、１項目ずつ確認ができる画面を作成して頂く必要があります。最終的には、あいち出会いサポートポータルサイト、あいこんナビのページには、１、会員登録画面への入口２、会員検索画面への入口３、離婚率を抑制する仕組みについての解説４、従来の結婚相談業の方々で、付加価値（カウンセリング、話し方講座、人格形成講座等）の催しの紹介となると思います。
【課題を解決するための手段】木野の技術は、離婚率を抑制する仕組みです。「離婚率を抑制する」ということは、相対的に、家族内での余分な緊張やエネルギーを消耗する危険性を解消し、その分、家庭が安心の場となりますから、「少子化を解消」し、その分、家庭のことは心置きなく、外の社会、外の世界で、活躍することができる度合いが高まりますから、「県民所得が向上」すると考えております。さて、私の父の知人で、東京大学を卒業し、富士通に就職したあと、愛知県庁へ入庁した方、私の学生時代の友人で、同じく富士通グループで、システム開発をしていた人が、岐阜県庁へ入庁しました。こうしたことから、県庁には、システム開発ができる人材がおられるということを知っております。当該結婚情報事業は、上記のように、公益としても、切迫した事情に鑑み、一方で優先的に、県で、システム開発して頂き、県が作成したシステムで、またその一方で会員募集や仲介として、従来の結婚相談所の方々に協力して頂くという方法を希望します。従来、数多くの結婚情報サイトでは、異性の情報の＜「最初に」＞顔写真が見られるようになっています。たとえば、世界観、価値観が違っているのに、その外見にとらわれてしまい、結婚してしまう場合があります。たとえば、タレントの川崎麻世さんは、カイヤ夫人が、あまりにも美しかったために、結婚してしまいました。しかし、結婚してから、カイヤ夫人との世界観、価値観の違いにより、苦しんでおられると聞いております。実際に、２０１８年１０月に、川崎麻世さんが、カイヤ夫人に対して、初めて、離婚訴訟を起こしたことが、報道されました。さて、婚活パーティー、婚活イベント、婚活サークルも、外見に最後まで引きずられてしまうことがありますから、停止する必要があると考えております。さて、こうしたことを防ぐために、２つの大きな仕組みがあります。まず、１つ目の仕組みは、世界観、価値観について、質問を利用者が、会員登録画面の中で、受けるようにします。たとえば、（１）配慮：家族と会話をする時、あなたは、少なくとも、自分だけでも、相手にとって、常に、快適になってもらえるように、快適になってもらえるようにと願いながら、計らいながら、工夫して会話をするようにしていますか？相手の言動を否定すると、相対的に、自分が上位に立ちますので、自動的に優越感に浸ることができます。こうした傾向がある方は、ＮＯを選んで頂きます。ＹＥＳ・ＮＯの２通り。（２）尊重：家族に対して、相手がどうであれ、その方たちの、思想や良心の自由の尊重を心掛けていますか？ＹＥＳ・ＮＯの２通り。（３）秩序：家の中の家族との共有スペースにおいて、物を使ったら、その場で元に戻すようにしていますか？ＹＥＳ・ＮＯの２通り。（４）習慣：毎日の生活習慣において、規則正しい生活をするようにしていますか？ＹＥＳ・ＮＯの２通り。（５）準備：大切なことは、先に準備を完了しておいてから、残った時間で、その他のことをするようにしていますか？ＹＥＳ・ＮＯの２通り。（６）家事：料理、家事、清掃を一通りこなすことができますか？ＹＥＳ・ＮＯの２通り。（７）煙草は吸わないですか？吸わないならＹＥＳ、吸うのなら、ＮＯ。ＹＥＳ・ＮＯの２通り。（８）動物を飼うことを希望していないですか？希望していなければ、ＹＥＳ、希望していればＮＯ。ＹＥＳ・ＮＯの２通り。（９）子どもを作りたいと思っていますか？作りたいと思っていれば、ＹＥＳ、作りたいと思っていなければＮＯ。ＹＥＳ・ＮＯの２通り。（１０）結婚歴はないですか？結婚歴が無ければ、ＹＥＳ、あれば、ＮＯ。ＹＥＳ・ＮＯの２通り。（１１）結婚前に、性行為をしたことがありませんか？性行為無ければＹＥＳ、あればＮＯ。ＹＥＳ・ＮＯの２通り。（１２）次のうち、どれにあたりますか？１、数学が入試で課された大学の学科に合格の経験がある。２、数学が入試で課されない大学の学科に限定して合格の経験がある。３、専門学校卒業、短期大学卒業。４、高校卒業。５、中学校卒業。以上の５通り。（１３）世界観、価値観とは関係ありませんが、県民性もありますし、交際は、近い方が、しやすいので、在住の４７都道府県を選択。４７通り。ここで、なぜ、学歴で５通りとするのかについて、記します。たとえば、極端な場合、女性が中学校卒業で、男性が東京大学医学部合格者の場合、家庭内で、当該女性の側が、相手の男性に対して、緊張してしまう危険性が考えられ得るからです。それから、大学で数学の合格についてですが、大学受験で、最初から数学を使わない選択をしているということは、数学を回避する傾向があると推定されます。数学を得意としていた、あるいは、数学から逃げなかった場合と比べて、相対的に、論理を追って行く力に違いが生じますので、意向の伝わりやすさの面で、違いが生じやすく、これも緊張してしまう危険性が考えられ得るからです。日本国特許第４５３８７０８号を具現化する時、登録画面の質問は、上記のように改訂します。スマートフォンでもパソコンでも対応できるようにします。それから、世界観、価値観に関する文章は、２０００字以内と改定します。そして、自己紹介としての世界観、価値観に関する文章は、１つだけへと改定します。社会貢献協力活動は、１回だけへと改定します。すなわち、資料確認面談と社会貢献協力活動を、約１時間３０分で、一通り、仲介者を交えて行うということです。資料確認面談では、たとえば、（１）配慮：家族と会話をする時、あなたは、少なくとも、自分だけでも、相手にとって、常に、快適になってもらえるように、快適になってもらえるようにと願いながら、計らいながら、工夫して会話をするようにしていますか？となっていますので、この内容を、両者に目の前にして頂き、このことに関するエピソードを、各々、話して頂くようにして、確認します。資料確認面談の時に、登録時に答えた回答について、予め、その回答の根拠となるエピソードを準備して来て頂き、当日、その場で、話して頂くことになっていることを、本プラットフォームの画面で、事前に、お知らせしておく必要があります。社会貢献協力活動のテーマは、「悲惨な離婚を防ぎ、結婚継続率を上昇に転ずるためには、どうすればよいか？」とします。話し合って、出た結論を、当事者間で、共有することとします。アカデミックにしてあります。アカデミック学問の分野で正統的で堅実なさま。学究的。出典：デジタル大辞泉２つ目の仕組みは、利用者は、会員登録時に、自分の世界観、価値観を文章にし、題名もつけて頂き、登録するようになっているということです。なお、この場合、仲介業者が、文章と題名を、代行して作成できないように、システムを構築しておきます。仲介業者の方々には、このプラットフォームがある理由を、よくわきまえて頂ければ、代行はなさらないと思っています。私は、以前、結婚相談所に登録していた時に、その結婚相談所の方が、私と少し話した印象を基に、全文を、私に代行して、掲載してしまいました。これはいけないと思って、私は、自分で、作成して、表示してもらうようにした経験があります。その上で、同じ類型の異性の一覧が、題名で出ているようにします。この題名から、興味がある題名をクリックすると、その異性の世界観、価値観についての文章が読めるようになっています。大学受験のセンター試験のように、５選択肢択一で、内容把握問題もしくは要旨把握問題に、正解した場合だけ、相手の異性の顔写真が表示される仕組みです。なお、利用者は、文章と題名を修正することができます。その場合、もう一度、文章の内容把握問題を、発明者または結婚相談業者が作成する必要がありますので、所定の料金が必要です。５０００円を想定しています。質問登録についても、修正することができます。登録画面に再度、入って、入力することができるようにしておきます。夫婦において、世界観、価値観が違っていても、これを人格形成に役立てるという観点もありますが、夫婦でいること自体に、余分な緊張やエネルギーを消耗してしまい、その分、社会への貢献の度合いが、薄らいでしまいがちです。できることなら、家庭内は、安心で、外へ行って活躍して来るというのが、理想だと思っています。よって、木野は、この技術を特許化しました。１０年で特許が終了しても、著作権は残っています。著作権保護が万全となるように、事細かに、計らってあります。同じ類型の人どうしの中から、相手を探せるようにした方が、世界観、価値観が似ているので、違いがあるよりも、離婚に至りにくいと、一般的には、考えられ得るということです。さらに、外見にとらわれてしまうことを防ぐために、顔写真は、世界観、価値観が記された文章を読んで、５肢択一の要旨あるいは内容把握の問題に答えて頂き、正解であった場合だけ、表示されるようにします。誤答であった場合、１分間、新しい解答の入力ができません。特許内容では、５分間としていましたが、ここは、１分間に訂正します。母数が今後、多くなって来れば、国としての離婚率が低下し始め、効果が証明されることとなります。ちなみに、ポルソナーレ主宰の田原克拓氏から、２０年ほど前に、お聞きした説によると、性行為は、女性側に、その行為自体が、刻印されてしまうため、その後、その女性が違う男性と、性行為をすると、その男性は、体感的に違和感を感じてしまうため、結婚前においては、性行為をすべきではないとのことでした。私も、確かにそのとおりだろうと思ったので、上記の例で、あえて、提示した次第です。貞操観念においても、類型が同じ者同士が、結婚することが、重要であることが、こうしたことにおいても、言えます。なお、結婚相手候補者と試しに、共同生活をしてもよいと思いますが、性行為は、一切しないことが条件です。上記に記した田原克拓氏の説を踏まえると、そうなります。私も、同じように思います。ちなみに、私は、まだ結婚しておりません。本人が結婚もしていないのに、結婚情報事業について、語る資格はないと言う方が、時々おられます。しかしながら、生活習慣病になったことがない医師が、生活習慣病を治療にあたっておられます。私は、結婚情報事業で、特許を持っております。結婚情報事業について、治療にあたることができます。このように申し上げて、たいていご理解を頂いております。世界で７０億人近くの人口の中で、数多くの方々は、既に結婚しておられますが、離婚を防ぐ仕組みに、気づいておられませんでした。具体的に私の経験として以下のようなものがあります。５０名以上の女性とお見合いをしたことがあります。友達になったりしたこともあります。また、家族と一緒に住んでいますので、家族の中で、世界観、価値観の違いがあると、そこで、ストレスが発生しやすいことは、実感しています。離婚率を抑制するということは、家庭内での余分な緊張やストレスを未然に解消するということです。家庭内での緊張やストレスが少なければ、家庭が安心の場となりますので、少子化を防止できます。また、家庭のことが安心できていれば、社会に出て、より一層活躍できますので、県民所得の拡大につながります。自分の世界観、価値感に関する文章は、自己紹介として、登録して頂くようにします。題名を登録時につけて頂きます。たとえば、木野の世界観、価値観が表れている自己紹介の文章を記します。上記の１２の質問項目に、どれか関連することを、深く記すようにすると、記しやすいことを登録画面に表示しておきます。世界観  出典：デジタル大辞泉  小学館世界およびその中で生きている人間に対して、人間のありかたという点からみた統一的な解釈、意義づけ。知的なものにとどまらず、情意的な評価が加わり、人生観よりも含むものが大きい。（１）配慮：家族と会話をする時、あなたは、少なくとも、自分だけでも、相手にとって、常に、快適になってもらえるように、快適になってもらえるようにと願いながら、計らいながら、工夫して会話をするようにしていますか？に基づきますと、以下に、私の事例を出します。題名：会話において相手を快適にする配慮文章：私は、以前、結婚相談事業をやろうと思っていますと、ある方に、お伝えしたところ、結婚もしていないのに、そうしたことをする資格はないでしょうと言われました。生活習慣病になったことがない医者が、生活習慣病を治すように、私も、結婚をしたことはないですが、結婚情報事業で特許を持っていますし、治せますよと、お答えしました。このように自分がされた経験を基に、その時を契機に、相手に、これを言うと、不快にさせてしまうなと思う時は、相手を不快にさせない、常に相手に、私からの働きかけで、快適になってもらうように、会話をしようと決めました。相手を否定する発言をしても、普通は相手の心のシャッターが閉まってしまうからです。次第に気まずくなって行くと思います。さらに、否定する発言により、相対的に、自分が上位に上がってしまうので、優越感を抱いてしまいます。そこには、一般的には、実質的に生産性が無いと思います。単なる自己満足に終わってしまいます。進歩向上がないと思います。会話��相手が快適になるように計らうということは、人間関係を積み重ねて行く上で、基本になると思いました。それで、今では、家族、親戚、友人、知人、全てに対して、常に、意識するようにしています。特に、家族に対しては、家族は自分と世界観、価値観が違う場合が多いので、自分にとって、嫌なことを言われる場合もありますが、言ったその人が、それを言うことで、優越感を抱き、幸せになれるのならよいと思うようにしています。また、家族は、嫌なことを言っても、比較的、許されてしまいますから、そこを、意識して、快適に計らうようにしていると、それが心の力となり、外での人間関係の良き訓練にもなると思うからです。優越感を抱くに至る仕組みを伝えようとしても、聴く耳を持たない人がいても、相手にとって、知っておかれた方がよいですから、仕組みについて、お伝えはしておくようにしています。２０００字までＯＫとします。その他の情報として、身長、体重、生まれた年月、最終学歴の学校名、学科名、職業、年収を入力して頂きます。職業、年収は変化する場合がありますから、変化した場合は、これも登録画面から変更できるようにしておきます。自己紹介としての世界観、価値観の文章を、一例として、私の上記の文章を、登録画面に提示しておきます。さて、以上より、２の１１乗×５×４７＝４８１２８０通りとなります。基本的には、同じ類型同士の異性の情報しか、見ることができないようになっています。一都道府県あたり１０２４０通りの類型になりますので、１〜１０２４０の類型番号をつけておくようにします。各個人の番号は、類型番号の後に、−をつけるとよいと思います。たとえば、ＪＰ愛知１０２４０−２０１９００１のようにします。ＪＰは、Ｊａｐａｎを示し、日本在住を示します。愛知は、愛知県在住を示します。２０１９は、西暦の入会年とます。上記の質問全てＹＥＳの場合、１０２４０とします。質問１だけがＮＯの場合、１０２３９とします。質問２だけがＮＯの場合、１０２３８とします。以上のような規則性を持たせます。愛知県の人口動態総覧を見ますと、平成２８年の婚姻件数４０６７１組、離婚件数１２４６４組、平成２９年の婚姻件数４００７２組、離婚件数１２４７１組となっています。婚姻件数から言えば、もし全ての婚姻を、本プラットフォームを経由して頂くとすると、同類型は、ほぼ４名ということになります。場合の数で、考えてみると、同じ県に４名しか同類型の異性がいないわけですから、パーティー等に行っても、同じ類型に出会うことができる可能性は、極めて小さいと言えると思います。周知が行き届くまでは、別類型も検索できるようになっています。その場合、どの回答が、別であるのか、分かるようになっています。考え方が似た人どうしですと、もし、何か嫌なことを相手からされても、自分でも同じようなことをしてしまいがちなので、相手を理解しやすいというメリットが考えられます。さて、どちら側からか、面談を申し込みたいとなった場合には、面談申込ボタンを、押せるようになっています。その時に、面談日程の希望日を第３希望まで、入力できるようにしておきます。そうすると、面談申込を受けた会員は、その申込のあった会員の情報を確認し、面談について合意をすれば、発明者���たは結婚相談業者へ希望の日程を知らせ、発明者または業者は、自分の日程も調整し、当該男女両者へ日程の連絡をします。なお、最初の面談時に、お互いの類型の内容の確認という資料確認面談、および両者同じテーマについて、話し合って頂くという社会貢献活動の両方をします。この内容も、一回で行うという点で、特許内容を訂正します。資料確認面談、社会貢献協力活動は、発明者または結婚相談所の方も、同席します。最後に、その後、プライベートにおいても、交際を続けて行くか、確認し、両者同意したら、発明者または結婚相談所の仲介をその場で、終了します。その後、その交際が実を結ばなかったら、再度、会員として、復活する手続きを取って頂くことができます。社会貢献協力活動として、テーマは、「少子化を防ぐためには、どうしたらよいか」について、話し合い、案を作成します。社会貢献協力活動として、大切なことは、他者を批判しないことです。他者を批判すると、非常に安易に、自己が相対的に地位が上がり、優越感に浸ってしまい、結果、生産性が全く無くなってしまうからです。何か病や、気分が不安定で、意気消沈になっておられ、上記の手法が必要な方は、上記の道が、救われる道として、唯一であるのなら、その時、初めて許されるものだと思います。この時、討論、議論になってはいけません。会話、対話することです。ゴルバチョフ元ソ連大統領の言葉として、声の大きい人有利ではなく、声の大きさは関係ない、違いがあれば攻めるのではなく、なぜ違うか？を探求する、自分の想像の枠を超えないのではなく、想像を超え、新しい世界を知る、考え方が変わらないのではなく、考え方が変わる、気まずい雰囲気になるのではなく、だんだん楽しくなるというものがあるそうです。上記のうち、前者がすべて、討論、議論であるのに対して、後者はすべて、会話、対話とされています。両者の間に、結婚相談業者の仲介が停止すれば、その後の両者は、プライベートの関係になります。最初の停止にあたり、発明料およびシステム開発、運営料を納めて頂くようにします。こうすることにより、お見合い結婚ではなく、恋愛結婚となります。お見合い結婚とは、成婚に至るまで、当該男女の交際関係は、業者が仲介している社会的な場合です。恋愛は、できないことになります。交際自体が仲介者がいる社会的なものにもかかわらず、恋愛的な行為をしていると、お互いに、公私混同の性格が形成されかねないということに気づいています。日産、ルノーのゴーン会長が公私混同をしてしまい、事件となりました。こうしたことを防ぐために、上記のようにする必要があると考えています。なお、同時並行で、何人かの人と交際ということは無しとします。当該結婚情報事業では、資料確認面談、社会貢献協力活動までは、結婚相談所が仲介しますが、その後は、仲介を終了しますので、本結婚情報のプラットフォームから後の交際は、プライベートとなりますので、恋愛結婚であると言えます。高誤答率案件処理の機能は、必要です。特許内容に記されています。資料確認面談用として、発明者または仲介業者が当日に使うものとして、スマートフォンでもよいので、１項目ずつ確認ができる画面を作成して頂く必要があります。最終的には、あいち出会いサポートポ���タルサイト、あいこんナビのページには、１、会員登録画面への入口２、会員検索画面への入口３、離婚率を抑制する仕組みについての解説４、従来の結婚相談業の方々で、付加価値（カウンセリング、話し方講座、人格形成講座等）の催しの紹介となると思います。
【背景技術】（４）銀行事業維新に関して言えば、従来、銀行では、預金者の預金を、企業、個人への融資に回して、事業を行っています。
【発明の概要】
【発明が解決しようとする課題】
【０００８】従来の銀行は、融資額の回収ができない場合、天災などにより、こうした融資額の回収ができない場合、銀行が、倒産する場合も、想定されます。倒産しなくとも、たくさんの融資を受けていた、大手企業が、融資額を、返済できない場合、事業遂行が、危機的状況になる危険性があります。従来の経済社会は、融資制度が存在していました。融資とは、資金を融通することです。借金です。現在、多数の国や地方自治体、あるいは政府関係機関などが借金として、たとえば、国債や公債を発行しています。企業では、社債を発行しています。融資を受けていた国や地方自治体、あるいは政府関係機関などの組織や個人が、融資を返せなくなった場合、当事者が大変な心理的負担を強いられるという課題があります。国債や公債の場合、これから生まれて来られる将来世代の方々に、負担を一方的に強いるという構図があることに気づく必要があります。ちなみに、原発も同じ構図です。現在の自分たちの世代のうち、これらの事業に関わる方々だけが利益を得て、それ以外の方々をはじめ、将来世代の方々に、大変な迷惑をお掛けしてしまうという課題があります。
【課題を解決するための手段】
【０００９】以上の課題を解決するための制度とシステムをここに提起いたします。住宅ローンは例外として、それ以外、融資制度を可能にしてしまっているルールをひとつひとつ根絶して行くことを、多数の方々にご理解を頂き、法的に根絶する必要があります。法的に根絶したあと、実際に根絶します。たとえば、今後の国家は、国債を発行しません。国債等を発行せず、税金等の収入の範囲内で、国家を運営します。企業は、融資を受けずに、経営をします。では、従来の銀行は、どのような事業を営むのかについて、記します。銀行は、企業や個人から貨幣を預かることのみを主たる事業とします。銀行が、融資事業を行わないことにより、融資を受けるということ自体が根絶され、将来世代に負担を一方的に強いることを無くしたり、従来のような融資を受ける者の心理的負担を解消することができ、社会が安定します。資金調達をするならば、投資制度を利用して、投資する者の責任において、投資されるようにすれば、社会の安定は保たれます。投資制度がもっと促進されれば、未来は明るいと思います。さて、銀行は、貨幣を預かるにあたり、預かるのにかかる経費を、たとえば、預金手数料として、預金額の一定程度の割合をルールで決めておいて、取得するようにします。たとえば、預金手数料を、年平均の預金額の０．１％とします。年平均の預金額を、銀行は、翌年に、その預金手数料を、天引きするように、法制度を整えるのです。
【背景技術】
【００１０】（５）経営目的維新に関して言えば、たとえば、株式会社は、営利だけを目的にしている場合があります。
【発明の概要】
【発明が解決しようとする課題】営利だけを目的にしていた場合、営業目標が、数値化されて、この営業目標数値を達成するために、数多くの企業において、営業担当者が、厳しいノルマに、打ちひしがれるという状況が、続いています。
【課題を解決するための手段】
【００１１】報酬目標、売上目標を立ててもよいですが、その代わりに、たとえば、医療であれば、完治に至るまでの達成期間目標、学習塾であれば、入塾前の、たとえば、数か月間の平均の学年順位を明確にし、そこから、入塾後の平均の学年順位目標を追求するのなら、利用者側の立場に立っているので、そうすべきだと思います。すなわち、結論は、企業は、営利目的とともに、経営理念として、公共の福祉に資するものの、両方を、掲げるべきだと思っています。そこの会社の経営理念だけでは、物足りなかった場合、特に、営業担当者は、現在のサービスの公益性の実現に焦点を合わせると良いと思っています。営業担当者は、特に、利益を得るには、公益を、お客様に提供することと、引き換えであるということに、常に注意が必要です。営業ノルマが与えられたら、それを実現する手段は、公益だということです。すなわち、本能の赴くままに利益の追求だけをしてしまうのではなく、すなわち、動物的になるのではなく、私たちは、人類なので、神的に、理性により、この場合、公益はどのようなものになるのかを判断しながら、進むべきだと思っています。そこは、大変重要なことです。厳しい営業ノルマを与えられたら、その実現手段としては、お客様への利益の提供を、自分としては何ができるのか、どのようにすればよいのかに焦点を合わせ、それを発見し、実際に提供することが、重要だと思っています。
【背景技術】（６）燃料調達維新に関して言えば、従来、様々な燃料、すなわち、エネルギーの創出の仕方がされています。
【発明の概要】
【発明が解決しようとする課題】
【００１２】現状、地球環境に悪影響を及ぼす形で、大半のエネルギーの創出がされています。クリーンな源からのエネルギーだけでは、まかなえていません。
【課題を解決するための手段】クリーンエネルギーを創出します。おおまかに申し上げると、太陽光を、巨大な虫メガネで、光を一点に集中させ、これを数台の虫メガネで、その共通する、その一点にエネルギーを集中させ、そこに、強力な熱エネルギーを作ります。その強力な熱エネルギーを、各種エネルギーに変換して使用するようにします。燃料調達維新に関して言えば、太陽光を巨大な虫メガネで、光を一点に集中させ、また、さらに複数の巨大な虫メガネを同じ、その一点に集中させ、熱エネルギーを強力に発生させる段階を有し、ＡＩを使用して、これら複数の虫メガネの傾きを調整する段階を有し、かつ、この熱エネルギーを、各種エネルギーに変換する段階を有します。
【背景技術】（７）階級制度維新に関して言えば、従来、世の中の人間関係において、ギクシャクする場合がありました。
【発明の概要】
【発明が解決しようとする課題】両者の立場が階級制度とは関係ない場合であれば、世の中の人間関係において、ギクシャクするのは、どちらかが、あるいは両方が、相手の思想、良心の自由を侵害している時が、一つとして考えられます。
【課題を解決するための手段】
【００１３】相手の御方が、階級制度とは関係がないことについて、自分の思想、良心の自由を侵害する言動をされる場合には、「あなたは、そう思っているのですね」と切り返し、それでも、こちら側の信条を変えさせようとして来る場合には、表に出て来る言葉としては、方便として、相手の御方に合わせて、実際の行動は、自由に行動することです。その行動は、その相手の御方がいるところでは、要求して来ることに合わて差し上げる計らいができますが、いないところでは、自由にすればよいと分かります。階級制度に関わらないことで、相手の言動を変えたいと思うこと自体、それは、思っていることは、実行に移る前段階のため、もう、そう思っていること自体、そう思う、ご自分自身、嫌な思いになりやすいと思います。それは、自由主義社会に生きている方々は、自由主義社会における、相手の御方の思想、良心の自由を侵害しているから、ご自身が、そう感じる可能性が高いと思っています。但し、その言動が、階級制度の秩序の保持に関わることであれば、階級制度の秩序の保持をする必要があります。さて、話が、がらっと変わりますが、自分は、どのような流れの中にいるのか、自分は、たくさんの方々から支えてもらっている神輿の上にいると思っていると良いと思っています。その神輿が、悪い方向に向きだしたら、自分の過去から、そして、最近の言動、そして、これから進めようと未来において計画している、直近のことを反省するように、私は、しています。間違いに気づき次第、自分の言動を修正しています。さて、英語で、ｗａｎｔ，ｎｅｅｄ，ｈｏｐｅの気持ちが出て来て、それに基づくと、言動を間違う場合が多いと私は、考えています。これらは、本能に基づく言葉です。その代わりに、ｓｈｏｕｌｄとして、考えた場合、それは、合っている場合が多いと思っています。それは、理性に基づいた言葉だからです。数学と外国語を勉強することは、理性を育成するのに、大変重要だと考えています。バランス感覚を磨くのにも、適していると考えています。但し、重要なことは、そのｓｈｏｕｌｄのことは、自分が、楽な方へ、楽な方へ、すなわち、安全地帯から、安全地帯へ、さらに言えば、平和から平和へと行くことを、目的としている場合、正しい、道理に合っていると、私は、思っています。自分が、困難な状況へ行くことが目的となっていたり、困難な状況になることが予想される場合は、私の経験では、間違っていたことが、多かったです。聖書を学ぶ、あるグループは、世界中に信者がおられます。ある国では、その政府は、その宗教の活動を禁止しました。聖書には、人に従うのではなく、神に従うように、記されているということで、その政府に反発し、捕らわれの身になっている方々がいるそうです。こうした場合は、世界の歴史をひもとくことが必要です。王権神授説というものがあります。デジタル大辞泉によると、下記のように記されています。王権は神から国王に授けられたもので、その権力は神聖で絶対的なものである、とする政治思想。近世初期ヨーロッパで、王権の支持・擁護のために英国のロバート＝フィルマーなどによって主張された。私たちは、既に、近世初期ヨーロッパに与えられた、人類としての英知を、活用するべきだと、私は、思います。その国で、その政府から、その宗教活動の禁止がされた場合には、その国家元首の御方に、忠実に従うことが、ｓｈｏｕｌｄであり、かつ、楽な方へ、楽な方へ、安全地帯から、安全地帯へ、行くことになります。その国の元首の御方は、その権力を、神から授けられているものとして捉えれば、反発しなくても済みます。このあたりのことは、階級制度についてのことです。学校教育の中で、人間の社会は、明確に、階級制度により、成立していることを、しっかりと、社会科の教科書の中で、記しておく必要があります。人間の社会は、階級制度が成立しているという、法則性、規則性の明示が、社会の教科書の一番最初の重要事項として、記載が必要です。分からなければ、自分にとっては、このあたりのことなら、追い出されてもよいなと思う、その社会に、反発することをやってみればよいです。かならず、はじかれ、その世界から、外に、出されてしまいます。よく分からない、体感したいというなら、やってみて、身に染みて、理解、納得することが、必要です。問題が、小さなうちに、経験しておく必要があります。その階級制度による社会を、その階級社会と呼ぶとすれば、その階級社会において、その内容が、明らかに、非合理的だとすれば、軽く説明してみる、そして、その反応を見る、大丈夫であれば、さらに説明する、立場により、各種の知らせを、上長、上司にすることは、流れを、よく見て、外に出されないようにしながら、最善と思われる道を歩みます。そして、その上で、その封建社会上、常に、優先的地位に立っているように、努力します。明らかに非合理的であれば、その階級社会から出て、外から、正式な手続きを取って、改革する必要があります。こうしたことも、学校の義務教育の中で、伝えておくべきです。正式な手続きを踏むということが、大変重要だと思っています。その階級社会が、さらに上の次元の階級社会としての指示、命令系統に従うようにすれば、不穏なことなく、無事に整えられます。たとえば、その会社で、不満なことがあれば、国会議員にお伝えして、法案が提出され、可決成立、施行となれば、国会で決まったことに、その会社も、従うことになります。この人間の社会は、階級制度によって、成立しているということの認識が、できていない方々が、多数おられます。かく言う、私自身が、この階級制度を崩そうとして、会社員時代に、左遷されました。経営者に対して、従業員が、反発しても、左遷されるだけです。そういった経験をしました。少なくとも、人間社会においては、階級制度が存在していて、これを崩すことは、反作用が多大であるということを、知っている必要があります。階級制度というのは、たとえば、真実は、対象が、白色に、自分には、見えていても、階級制度の、自分より、上にいる者が、それは、青色だといえば、自分には、白色に見えてしまっていますが、と伝えた上で、はい、青色として、合わさせて頂きます、答えているということです。そして、謙虚に、どうして自分は白色と見えてしまっているのか、上司に聞いて、自分の見方が間違っている場合は、これを修正する必要があります。（公序良俗違反につき、不掲載）ここは、既に、引退届を出してしまいましたので、私たちの貴重な教訓として、学校の教科書に、毎回、掲載すべき、社会科の中で、一番重要な規則性としての内容だと、私は、思います。階級制度について、私、木野が、説として、出していると、表記して頂ければよいです。この階級制度、階級社会という言葉は、言っておられませんでしたが、それに近いことを、すなわち、この人間の社会は、ピラミッドのようになっていると、知人御二人から、聞いていて、そのことが、この記述のヒントになりました。意味合いとしては、同じ内容です。（公序良俗違反につき、不掲載）です。もう御一方は、（公序良俗違反につき、不掲載）氏です。私は、公平性を期すために、すなわち、心に誓うために、覚えている限り、その表現のヒントになった先人がおられた場合、その著作権者の御方のお名前を、記載するようにしています。人間の社会にとどまらず、たとえば、蜂の巣でも、女王バチを中心として、階級社会ができているように思います。サルでも、ボスザルを中心として、階級社会ができていることは、御承知のとおりです。
【背景技術】（８）保険改革維新に関して言えば、従来、老年ということを問わず、身体の老化にかかわらず、災害や病、あるいは、その他の理由で、仕事に就けない方々がいました。
【発明の概要】
【発明が解決しようとする課題】セーフティーネットの構築が必要です。
【課題を解決するための手段】
【００１４】大切なことは、社会の皆が、助け合うということだと思います。国が、借金をすることをやめ、国民から集めた税金の範囲内で、国の運営を行い、科学技術への財政支出は、アンチエイジング技術によって、永年に渡り、健康に、人が生きられるようにするということにおおむね限定して、予算を組み、あとのことは、必要最小限にし、年金を、必要な金額を確保し、老年ということは問わず、体調を崩して、働けなくなっても、そうした場合にこそ、年金から、支援できるようにすべきだと思います。そして、身の回りのことの心配があるかもしれませんが、そうした場合には、同性の単身者同士で、同じ家で住むようにすることにより、家族のようになって生活する、助け合いをするとよいと思っています。いわゆるシェアハウスです。老年ということを問わず、身体の老化にかかわらず、災害や病、あるいは、その他の理由で、仕事に就けない方々には、累進保険料の保険金から、最低限必要な資金を分配するようにします。
【背景技術】（９）介護制度維新に関して言えば、従来、利用者の方々のうち、一部の方々が、介護職員に嫌がらせをし、苦しめているということで、問題になっているということが、ＮＨＫ教育テレビで、２０１８年１０月に放送されていました。
【発明の概要】
【発明が解決しようとする課題】介護をするという大変貴い仕事をされる介護職員の方々に、精神的、肉体的な、危害が及んでいるということは、これは大きな課題です。
【課題を解決するための手段】
【００１５】解決するための手段は、前記の（８）階級制度維新の規則性を応用します。介護施設内での階級を、明示するのです。介護職員の指示命令系統の下に、利用者を置くのです。法律にすると、国民の総意となりますので、法律に明記すべきだと思います。一部の利用者が、介護職員に対して、嫌がらせや、各種の暴力を働いた場合は、法的根拠をもって、階級の上下関係の観点から、当該介護職員は、当該利用者に対して、毅然として、注意します。さらに、当該利用者が、反省して、言動を直すということをしなければ、当該介護施設から、追放処分にすることも、法律で明記しておくのです。これは、当該利用者にとっても、人生勉強になりますし、また、当該介護職員も、いつも、気持ち良く、介護の職務を果たすことができることに、つながります。階級社会という観点で行くと、介護職員の下に、利用者がいるということを、明示することで、この問題は解決に近づきやすいと思います。生徒が授業を大切にしないという学級崩壊についても、教師の指示命令系統の下に、生徒を置くということとすれば、解決しやすいと思います。さらに言えば、社会において、地球的に言えば、相手に嫌がらせをしたり、不快にさせたりする者は、その件に関しては、嫌がらせを受けたり、不快にさせられたりした方の側が、法的に、指示命令系統の上位に立ち、嫌がらせをしたり、不快にさせたりした側を、下位にするという法律を明文化し、可決、成立、施行が必要だと思います。
【背景技術】（１０）学校時間維新に関して言えば、従来、学校では、知識の一通りの紹介を教師が一斉授業で行い、復習時間については、家でして来ることが、前提になっていました。家では、宿題も課されていました。
【発明の概要】
【発明が解決しようとする課題】宿題で、問題を解いて来て、次の日に、指名されて発表するという形式が、特に高等学校において、多数あり、解けない生徒が、その解けない問題に対して、時間を費やしてしまうという課題がありました。
【課題を解決するための手段】
【００１６】学校では、一斉授業をやるよりも、生徒各自が、教科書を読み、問題集を解き、分からない問題は、教師に質問に行くという形式であると、上記の課題が解決されます。そして、その時間の中で、復習も完了させてしまうのです。復習の仕方は、私が、以前に、特許出願した内容に記されています。日中は、午前８時〜１２時までの４時間、午後は１時〜５時までの４時間、勉強して、家に帰ったら、充分に休むべきだと思います。高等学校の英語の教科書として、『英文解釈教室（改訂版）』を、やっておけば、文構造が分かります。これの中学版をどなたかに作って頂ければ、中学生の英文読解にも役立ちます。文構造と単語、熟語の意味、英文法が分かれば、英語は、どんな難解な文章でも読み解けるようになります。
【背景技術】（１１）物流調節維新に関して言えば、従来、プラスチックゴミのリサイクルが行き届いていないということが、知られています。
【発明の概要】
【発明が解決しようとする課題】ゴミ処理業者が２０１８年現在、プラスチックゴミを処理できなくて、困っているという問題があることを知りました。
【課題を解決するための手段】
【００１７】今後は、物を作るだけでなく、物が使われた後、その使われた物質を、原料にして、また製品化するというリサイクルシステムができていない場合は、生産してはいけないという法令が必要だと思います。物の生産者は、生産からリサイクルまで何回転でも行けるように仕組みを作ってから、生産するという法令を作る必要があると思います。生産するところまでしか視野に入っていないのではなく、使われた後のことまで、視野に入れる必要があり、そのルートを構築できてからの生産とすべきことを法令にしておく必要があると思います。
【背景技術】（１２）順法養成維新に関して言えば、従来、法令を順守することが、軽んじられ、そのうちに、大きな失敗につながって行くことがありました。
【発明の概要】
【発明が解決しようとする課題】
【００１８】どのようにすれば、法に順ずることができるようになるのか、知られていないように思います。
【課題を解決するための手段】小さなことから、社会生活の規範に順ずるようにするとできるようになると思います。たとえば、交通ルールでも、最高速度を守りながら、車に乗ります。片側一車線で後ろの車が、車間距離を狭くして来るようであれば、左に寄って、左折のランプか、ハザードランプを点滅させて、追い越して頂くようにします。２０１８年の現状の世の中では、一般的には、最高速度を守らない方々が、多いので、左に寄って、追い越して頂くようにする必要があります。その時に、力まなくて、普通にすることが、大変重要です。後ろの車の方々に対して、同じく法令を守らせようとするのは、間違いだと思います。それは、自分は、警察官ではないからです。法令を守らせる職務でない者が、守らせようとすると、緊張が生じてしまいます。こうしたことは回避した方がよいということを、私は経験しました。誰も見ていない、小さなことから、社会生活の規範を順守するようにして行くと、順守する心の力がつくように思います。